(57)【特許請求の範囲】
【請求項１】
元々は疎水性を有しており光を照射されると光が照射された部分が親水性に変換される光触媒膜を有しており、親水性とされずに疎水性のままとされた部分が形成する潜像を有する潜像版を備え、該潜像版の潜像を疎水性インクによって可視像とし、該可視像を形成した疎水性インクを用紙に転写し、加熱手段により、該光触媒膜のうち親水性とされた部分が疎水性部分に戻ることにより該光触媒膜の潜像を消去する構成としたことを特徴とする印刷装置。
【請求項２】
元々は疎水性を有しており光を照射されると光が照射された部分が親水性に変換される光触媒膜を有しており、親水性とされた部分が形成する潜像を有する潜像版を備え、該潜像版の潜像を親水性インクによって可視像とし、該可視像を形成した親水性インクを用紙に転写し、加熱手段により、該光触媒膜のうち親水性とされた部分が疎水性部分に戻ることにより該光触媒膜の潜像を消去する構成としたことを特徴とする印刷装置。
【発明の詳細な説明】
【０００１】
【発明の属する技術分野】
本発明は印刷装置に使用される版に係り、特に光触媒膜を備えてなり光触媒膜に形成された潜像が版を構成する潜像版を用いた印刷装置。
印刷装置においては、印刷がより迅速に安価にできることが望まれている。印刷は版を作る作業から開始される。
【０００２】
【従来の技術】
従来、版は写真技術によって製作されていた。例えば、以下の工程、印刷するレイアウトにポジフィルムをおこす、ポジフィルムをＰＳ版に焼き付ける、自動現像機でもって現像する、を経て製作される。仕上がった版を印刷装置にセットして、印刷が開始される。
【０００３】
【発明が解決しようとする課題】
写真技術によって版を製作するには、複数の工程が必要であり、時間と労力が必要であった。このため、版は製作に時間がかかり、コストも高かった。よって、印刷の迅速化及び低コスト化の実現は困難であった。このことは、特に印刷の枚数が少ない少量印刷の場合に問題となっていた。
【０００４】
そこで、本発明は、上記課題を解決した潜像版を有する印刷装置を提供することを目的とする。
【０００５】
【課題を解決するための手段】
請求項１の発明は、元々は疎水性を有しており光を照射されると光が照射された部分が親水性に変換される光触媒膜を有しており、親水性とされずに疎水性のままとされた部分が形成する潜像を有する潜像版を備え、該潜像版の潜像を疎水性インクによって可視像とし、該可視像を形成した疎水性インクを用紙に転写し、加熱手段により、該光触媒膜のうち親水性とされた部分が疎水性部分に戻ることにより該光触媒膜の潜像を消去する構成としたものである。
【０００６】
請求項２の発明は、元々は疎水性を有しており光を照射されると光が照射された部分が親水性に変換される光触媒膜を有しており、親水性とされた部分が形成する潜像を有する潜像版を備え、該潜像版の潜像を親水性インクによって可視像とし、該可視像を形成した親水性インクを用紙に転写し、加熱手段により、該光触媒膜のうち親水性とされた部分が疎水性部分に戻ることにより該光触媒膜の潜像を消去する構成としたものある。
【０００７】
【発明の実施の形態】
図１は、本発明の第１実施例になるオフセット印刷装置１０を示す。オフセット印刷装置１０は、潜像版形成体としての潜像版形成用ドラム１１と、ゴム製のローラであるブランケット１２と、押さえローラ１３とを有し、ホストコンピュータ１４と接続されている。潜像版形成用ドラム１１は、オフセット印刷装置１０の筐体内に設けてあり、暗所に配されている。オフセット印刷装置１０は、疎水性のインクを使用する。ここで、潜像版とは、潜像によってパターンが形成されている版をいう。
【０００８】
潜像版形成用ドラム１１は、ドラム本体１５の表面に光触媒膜１６が形成された構成である。光触媒膜１６は、酸化チタン（ＴｉＯ２）を主成分とする材料（例えば、ＴＯＴＯ社製の酸化チタン）の膜であり、暗所において元々は疎水性を有しており、紫外線を照射されるとその部分の性質が変化されて親水性となっ
て、親水性を長い期間保持する性質を有する。潜像版形成用ドラム１１は、後述するように、潜像を形成されて潜像ドラム版１１Ａとなる。
【０００９】
潜像版形成用ドラム１１の周囲には、紫外線レーザ走査装置２０と、湿し水出しローラ２１と、インク出しローラ２２と、発熱体よりなる消去装置２３と、クリーナ２４とが配されている。
ブランケット１２は潜像版形成用ドラム１１に押し当たっており、押さえローラ１３はブランケット１２に押し当たっている。モータ２７によって潜像版形成用ドラム１１が時計方向に回転されると、ブランケット１２が反時計方向に回転され、押さえローラ１３が時計方向に回転される。
【００１０】
紫外線レーザ走査装置２０は駆動回路２５と接続してある。消去装置２３は駆動回路２６と接続してある。モータ２７は駆動回路２８と接続してある。
次に、上記構成のオフセット印刷装置１０の動作について説明する。
オフセット印刷装置１０は、ホストコンピュータ１４によって制御されて、図２及び図３に示すように、大別して３つの動作工程、即ち、潜像ドラム版形成工程４０−１（４０−２，４０−３，・・・）、所定回数の印刷工程４１−１（４１−２，４１−３，・・・）、潜像消去工程４２−１（４２−２，４２−３，・
・・）を、繰り返して行う。
【００１１】
〔潜像ドラム版形成工程４０−１（図２（Ａ）参照）〕
ホストコンピュータ１４よりの指令によって、駆動回路２８が動作され、モータ２７が始動して、潜像版形成用ドラム１１が時計方向に１回転される。また、図４に示すように、紫外線レーザ走査装置２０が動作して、ホストコンピュータ１４の画像情報に応じて変調された紫外線レーザ４５が、回転しつつある潜像版形成用ドラム１１を走査する。潜像版形成用ドラム１１は紫外線レーザの走査速度に同期して回転する。
【００１２】
潜像版形成用ドラム１１の周面の光触媒膜１６のうち紫外線が照射された場所の性質が変化して親水性となる。４９は親水性となった部分であり、ハッチングを付して示す。
これにより、潜像版形成用ドラム１１の光触媒膜１６は疎水性である下地のところに、親水性とならずに疎水性のまま残った部分５０が所定のパターンとなって、潜像５１が形成される。潜像版形成用ドラム１１は、図４に示すように、潜像ドラム版１１Ａとなる。以後、紫外線レーザ走査装置２０は動作を停止する。
【００１３】
〔印刷工程４１−１（図２（Ｂ）参照）〕
図５に示すように、潜像ドラム版１１Ａが、何回も（印刷する枚数と同じ回数である）回転する。潜像ドラム版１１Ａの回転に応じてブランケット１２が回転
し、更には、押さえローラ１３が回転する。
潜像ドラム版１１Ａの或る個所に注目してみる。潜像ドラム版１１Ａが回転すると、先ず、湿し水出しローラ２１の個所を通過して、水が親水性となった部分４９に付着する。５２は付着した水を示す。疎水性である下地の部分については、水ははじかれ、付着しない。潜像ドラム版１１Ａは親水性となった部分４９が水でもって湿された状態となる。
【００１４】
次いで、インク出しローラ２２の個所を通過して、疎水性のインクが疎水性のまま残った部分５０に付着する。５３は付着した疎水性のインクを示す。これによって、潜像ドラム版１１Ａの潜像５１が可視像５４となる。
次いで、ゴム製のブランケット１２の個所を通過し、潜像ドラム版１１Ａ上の疎水性のインクがブランケット１２に転写される。５５はブランケット１２に転写されたインクを示す。
【００１５】
次いで、消去装置２３の個所を通過する。消去装置２３は発熱していないため、潜像ドラム版１１Ａの潜像は消去されない。
次いで、クリーナ２４の個所を通過する。ここで、潜像ドラム版１１Ａ上に残っているインク及び付着している水が、掻かれて除去され、潜像ドラム版１１Ａはクリーニングされる。
【００１６】
ブランケット１２に転写されたインクは、押さえローラ１３によってブランケット１２に押さえ付けられて矢印方向に搬送される一枚目の用紙６０−１に転写される。５６は一枚目の用紙６０−１に転写されたインクを示す。これによって、一枚目の用紙６０−１に印刷がなされる。
クリーニングされても、光触媒膜１６には潜像が形成されたままの状態にある。即ち、潜像ドラム版１１Ａは依然として潜像ドラム版の状態にある。潜像ドラム版１１のクリーニングされた個所は、再度、湿し水出しローラ２１、インク出しローラ２２の個所を通過して、潜像が可視像とされ、インクがブランケット１２に転写される。ブランケット１２のインクは、次に搬送されてきた二枚目の用紙６０−２に転写され、二枚目の用紙６０−２に印刷がなされる。
【００１７】
この動作が繰り返し行われ、所定枚数の印刷が行われる。
〔潜像消去工程４２〕
所定枚数の印刷が終わると、図６に示すように、ホストコンピュータ１４よりの指令によって、駆動回路２６が動作され、消去装置２３が発熱される。これによって、潜像ドラム版１１Ａはブランケット１２の個所を通り過ぎた個所を所定の温度に加熱され、光触媒膜１６のうち親水性となっている部分の性質が変化されて元の疎水性に戻る。これによって、光触媒膜１６の潜像が消去される。潜像ドラム版１１Ａは元の潜像版形成用ドラム１１となる。
【００１８】
以上によって、同じ版によるオフセット印刷が完了する。
続いて別の版を作って、オフセット印刷を行う。
これは、上記と同じく、潜像ドラム版形成工程４０−２、所定回数の印刷工程４１−２、潜像消去工程４２−２を経て行われる。
なお、上記の印刷工程において、潜像ドラム版１１Ａの回転中に、潜像ドラム版１１Ａ上に残っているインクをクリーニングする動作を行わなくてもよい。
【００１９】
図７は本発明の第２実施例になるオフセット印刷装置７０を示す。オフセット印刷装置７０は、疎水性インクに代えて親水性のインクを使用することを除いて図１のオフセット印刷装置１０と同じである。図７中、図１に示す構成部分と同じ構成部分には同一符号を付しその説明は省略する。
図８に示すように、紫外線レーザ走査装置２０は、図４の場合とはオンオフが逆の状態で動作される。紫外線レーザ４５が潜像版形成用ドラム１１を走査し、光触媒膜１６のうち紫外線が照射された場所の性質が変化して親水性（ハッチングで示す）となる。これにより、潜像版形成用ドラム１１の光触媒膜１２は疎水性から親水性に変換された部分（符号４９Ａで示す）が所定のパターンとなって、潜像５１Ａが形成される。潜像版形成用ドラム１１は、図８に示すように、潜像ドラム版１１Ｂとなる。以後、紫外線レーザ走査装置２０は動作を停止する。
【００２０】
図９に示すように、潜像ドラム版１１Ｂが、何回も（印刷する枚数と同じ回数である）回転する。潜像ドラム版１１Ｂの回転に応じてブランケット１２が回転し、更には、押さえローラ１３が回転する。
潜像ドラム版１１Ａの或る個所に注目してみる。潜像ドラム版１１Ｂが回転すると、先ず、湿し水出しローラ２１の個所を通過して、水が親水性とされた部分４９Ａに付着する。次いで、インク出しローラ２２の個所を通過して、親水性のインクが親水性とされた部分４９Ａに、符号５３Ａで示すように付着する。次いで、ゴム製のブランケット１２の個所を通過し、潜像ドラム版１１Ｂ上の親水性のインク５３Ａがブランケット１２に転写される。ブランケット１２に転写されたインクが、用紙６０−１に転写され印刷がなされる。
【００２１】
所定枚数の印刷が終わると、図１０に示すように、ホストコンピュータ１４よりの指令によって、駆動回路２６が動作され、消去装置２３が発熱される。これによって、潜像ドラム版１１Ｂはブランケット１２の個所を通り過ぎた個所を所定の温度に加熱され、光触媒膜１６のうち親水性となっている部分の性質が変化
されて元の疎水性に戻る。これによって、光触媒膜１６の潜像が消去される。潜像ドラム版１１Ｂは元の潜像版形成用ドラム１１となる。
【００２２】
以上によって、同じ版によるオフセット印刷が完了する。
続いて別の版を作って、オフセット印刷を行う。
上記第１及び第２実施例のオフセット印刷装置１０、７０は、潜像ドラム版を作成する場所をオフセット印刷装置１０、７０に一体的に有する構成である。また、上記第１及び第２実施例のオフセット印刷装置１０、７０において、光触媒膜１６を親水性とされた状態が潜像ドラム版１１Ａ（１１Ｂ）が１回転するに要する時間だけ持続するようなものとしてもよい。この場合には、オフセット印刷装置は、前記のようにリライダブル印刷ではなく、一枚の印刷が出来るものとなる。
【００２３】
図１１は、本発明の第３実施例になるオフセット印刷装置１００を示す。オフセット印刷装置１００は、オフセット印刷装置本体１０１と、潜像ドラム版作成装置１０２と、潜像消去装置１０３と、ドラム搬送装置１０４とを有する。
オフセット印刷装置本体１０１は、紫外線レーザ走査装置２０及び消去装置２３が除かれてあり、且つ、潜像ドラム版１１Ａが装着脱可能な構成である以外は、図１のオフセット印刷装置１０と実質上同じ構成であり、図１に示す構成部分と同じ構成部分には同一符号を付しその説明は省略する。
【００２４】
潜像ドラム版作成装置１０２は、紫外線レーザ走査装置２０を備えた構成であり、潜像版形成用ドラム１１に紫外線レーザを照射して潜像ドラム版を作成する。
潜像消去装置１０３は、消去装置２３を備えた構成であり、潜像ドラム版の潜像を消去して、潜像版形成用ドラム１１を再生する。
【００２５】
ドラム搬送装置１０４は、同じ版によるオフセット印刷が完了した後にオフセット印刷装置本体１０１内の潜像版形成用ドラム１１を潜像消去装置１０３内に搬送し、潜像消去装置１０３内で再生された潜像版形成用ドラム１１を潜像ドラム版作成装置１０２内に搬送し、潜像ドラム版作成装置１０２内で作成された潜像ドラム版１１Ａをオフセット印刷装置本体１０１内に搬送する。
【００２６】
上記のオフセット印刷装置１００は、同じ版によるオフセット印刷が完了した後にドラム搬送装置１０４によってオフセット印刷装置本体１０１内の潜像版形成用ドラム１１が取り外され、ドラム搬送装置１０４が潜像ドラム版作成装置１０２内で作成された潜像ドラム版をオフセット印刷装置本体１０１にセットするように動作する。このように、オフセット印刷装置１００は、潜像ドラム版が逐次換えられて、オフセット印刷を続ける。
【００２７】
なお、使用済の潜像ドラム版は、潜像消去装置１０３内で再生されて潜像版形成用ドラム１１となる。潜像ドラム版作成装置１０２内で、この再生された潜像版形成用ドラム１１に別の潜像が形成されて、再度、潜像ドラム版となる。このように、潜像版形成用ドラム１１は繰り返し使用される。
なお、本発明は、潜像よりなる版の形状は、ドラム形に限らず、平面でもよい。
【００２８】
また、本発明はオフセット印刷以外の印刷にも適用可能である。
【００２９】
【発明の効果】
請求項１乃至請求項３の発明によれば、元々は疎水性を有しており光を照射されると光が照射された部分が親水性に変換される光触媒膜の親水性とされずに疎水性のままとされた部分が形成する潜像又は親水性とされた部分が形成する潜像を有する潜像版を備え、該光触媒膜の潜像を消去する構成であるため、潜像版を焼き付け、現像等の写真技術を使用していた従来に比べて、迅速にしかも安価に準備出来、また、潜像版を何度も再使用することが出来、経済的である。よって、従来コスト高となっていた印刷の枚数が少ない少量印刷のコストを低く出来る。即ち、大量印刷は勿論少量印刷も経済的に行うことが出来る印刷装置を実現出来る。
【図面の簡単な説明】
【図１】本発明の第１実施例になるオフセット印刷装置を示す図である。
【図２】図１のオフセット印刷装置の動作を説明する図である。
【図３】図１のオフセット印刷装置の動作を説明する図である。
【図４】潜像ドラム版形成工程の動作を説明する図である。
【図５】印刷工程の動作を説明する図である。
【図６】潜像消去工程の動作を説明する図である。
【図７】本発明の第２実施例になるオフセット印刷装置を示す図である。
【図８】潜像ドラム版形成工程の動作を説明する図である。
【図９】印刷工程の動作を説明する図である。
【図１０】潜像消去工程の動作を説明する図である。
【図１１】本発明の第２実施例になるオフセット印刷装置を示す図である。
【符号の説明】
１０、７０、１００ オフセット印刷装置
１１ 潜像版形成用ドラム
１１Ａ，１１Ｂ 潜像ドラム版
１２ ブランケット
１３ 押さえローラ
１４ ホストコンピュータ
１５ ドラム本体
１６ 光触媒膜
２０ 紫外線レーザ走査装置
２１ 湿し水出しローラ
２２ インク出しローラ
２３ 消去装置
２４ クリーナ
４０−１ 潜像ドラム版形成工程
４１−１ 印刷工程
４２−１ 潜像消去工程
４９，４９Ａ 親水性となった部分
５０ 親水性とならずに疎水性のまま残った部分
５１、５１Ａ 潜像
５２ 付着した水
５３ 付着した疎水性のインク
５３Ａ 付着した親水性のインク
５４ 可視像
５５ ブランケットに転写されたインク
５６ 用紙に転写されたインク
６０ 用紙
１０１ オフセット印刷装置本体
１０２ 潜像ドラム版作成装置
１０３ 潜像消去装置
１０４ ドラム搬送装置
【図１】
0003978804.tif 000002
【図２】
0003978804.tif 000003
【図３】
0003978804.tif 000004
【図４】
0003978804.tif 000005
【図５】
0003978804.tif 000006
【図６】
0003978804.tif 000007
【図７】
0003978804.tif 000008
【図８】
0003978804.tif 000009
【図９】
0003978804.tif 000010
【図１０】
0003978804.tif 000011
【図１１】
0003978804.tif 000012